(57)【特許請求の範囲】
【請求項１】
セット台（Ｓ）の縁に着脱可能に取付けられる基台（Ｂ）と、この基台（Ｂ）に立設される支柱（Ｐ）と、この支柱（Ｐ）の上端からセット台（Ｓ）の上方に向けて略水平に延長される、単一且つ棒状の輪ゴムハンガ（Ｈ）とを備え、
前記輪ゴムハンガ（Ｈ）は、多数の輪ゴム（Ｒ）を纏めて吊り下げて貯留しておくための、支柱（Ｐ）側の輪ゴム貯留部（１３）と、その輪ゴム貯留部（１３）から立ち上がる区分け部（１５）を介して該輪ゴム貯留部（１３）に一体に延長される自由端側の輪ゴム取出部（１４）とを有し、
前記輪ゴム取出部（１４）は、前記輪ゴム貯留部（１３）よりも長く形成されており、該輪ゴム取出部（１４）には、そこから輪ゴム（Ｒ）を１つずつ容易に取出し得るように、複数の輪ゴム（Ｒ）が間隔をあけて吊り下げられることを特徴とする、輪ゴム取り器。
【請求項２】
前記支柱（Ｐ）は、基台（Ｂ）に対して昇降調節できることを特徴とする、前記請求項１記載の輪ゴム取り器。
【発明の詳細な説明】
【０００１】
【発明の属する技術分野】
本発明は、主として、美容院などで使用される輪ゴム取り器に関するものである。
【０００２】
【従来の技術】
一般に、美容院などで美容師が、女性の髪をパーマネント処理するときには、図７に示すように、部分的に分けた髪をロッドを用いてワインディングし、その髪を輪ゴムを用いてロッドに止めるようにしており、その際に、多数の輪ゴムを使用する。
【０００３】
ところで、従来では、多数の輪ゴムは、収容箱に纏めて乱雑に収容されていて、それらがくっついたり、絡み合ったりしているため、その輪ゴムを取り出すのに手間がかかる。特に、近年では、環境問題、栄養のアンバランスなどに起因して、薬液アレルギーの美容師が多くなっており、パーマ液、毛染液などの薬液が皮膚に触れると、その薬液の刺激に対応できないことがある。
【０００４】
そこで、手袋を履いてワインディング等の施術を行う美容師が多くなっているので、輪ゴムの取り出し作業が一層面倒になり、その結果、ワインディングなどの髪の施術に要する時間が大幅に長くなってしまうという問題がある。
【０００５】
【発明が解決しようとする課題】
本発明は、かかる実情に鑑みてなされたもので、輪ゴムの取り出し作業を簡単、容易にして前記問題を解決できるようにした、新規な輪ゴム取り器を提供することを目的とするものである。
【０００６】
【課題を解決するための手段】
上記目的を達成するために、請求項１記載の発明は、セット台の縁に着脱可能に取付けられる基台と、この基台に立設される支柱と、この支柱の上端からセット台の上方に向けて略水平に延長される、単一且つ棒状の輪ゴムハンガとを備え、前記輪ゴムハンガは、多数の輪ゴムを纏めて吊り下げて貯留しておくための、支柱側の輪ゴム貯留部と、その輪ゴム貯留部から立ち上がる区分け部を介して該輪ゴム貯留部に一体に延長される自由端側の輪ゴム取出部とを有し、前記輪ゴム取出部は、前記輪ゴム貯留部よりも長く形成されており、該輪ゴム取出部には、そこから輪ゴムを１つずつ容易に取出し得るように、複数の輪ゴムが間隔をあけて吊り下げられることを特徴としており、かかる特徴によれば、輪ゴムハンガの輪ゴム貯留部に多数の輪ゴムを纏めて貯留しておくことができると共にその輪ゴム取出部に複数の輪ゴムを、１つずつ取り出し易いように間隔をあけて吊り下げておくことができるので、多数の輪ゴムの、一つずつの取出操作がきわめて簡単、容易となり、そのために要する時間を大幅に短縮することができ、たとえば、美容院などで、顧客の髪をワインディングするときのように、多数の輪ゴムを１つずつ取り出して使用するのにきわめて有効である。また、この輪ゴム取り器のセット台への取付けも容易である。
【０００７】
また、上記目的を達成するために、請求項２記載の発明は、前記請求項１記載のものにおいて、前記支柱は、基台に対して昇降調節できることを特徴としており、かかる特徴によれば、前記請求項１記載の発明と同等の効果を奏する上に、輪ゴム取出部を使用者の身長などに合わせて自由に調節することができ、輪ゴムの取出し作業が一層容易になる。
【０００８】
【発明の実施の形態】
本発明の実施の形態を、添付図面に例示した本発明の実施例に基づいて以下に具体的に説明する。
【０００９】
まず、図１〜４を参照して本発明の第一実施例について説明する。
【００１０】
図１は、本発明輪ゴム取り器の使用状態を示す斜視図、図２は、輪ゴム取り器の斜視図、図３は、図１の３矢視図、図４は、図３の４−４線に沿う断面図である。
【００１１】
本発明輪ゴム取り器は、基台Ｂと、この基台Ｂに上下方向に伸縮調節できるように立設される支柱Ｐと、この支柱Ｐの上端からセット台Ｓの上方に向けて略水平に延長される、棒状の輪ゴムハンガＨとより構成される。
【００１２】
前記基台Ｂは、美容院などで髪をセットする時に使用するセット台Ｓの縁に着脱可能にクランプできるように作られており、クランプ基板１と、このクランプ基板１に昇降調節可能であり、かつ前後方向に出入れ調節可能なクランプ板２とを備えている。前記クランプ基板１の一側縁には、細長い角柱状のガイド枠３が一体に立設され、このガイド枠３に、昇降プレート４が昇降自在に嵌合されている。ガイド枠３には複数の蝶ネジ５が螺挿され、これらの蝶ネジ５の先端は、昇降プレート４の側面に衝き当てられており、これらの蝶ネジ５を締め付けることにより、昇降プレート４を固定することができ、またそれらを緩めることにより昇降プレート４の昇降移動が可能になる。昇降プレート４は、略水平に張り出す張出部４ａを有し、この張出部４ａに前記クランプ板２が前後方向に出入れ可能に嵌合されている。このクランプ板２は、図４に示すように、断面クランク状に形成されていて、前記張出部４ａに出入れ可能に嵌合される略水平な基部２ａと、その先部より下向きに略垂直に延びる中間部２ｂと、その中間部２ｂの下端から略水平に張り出す先部２ｃとを有する。昇降プレート４の張出部４ａには、複数の蝶ネジ９が螺挿され、この蝶ネジ９の先端は、基部２ａに衝き当てられており、この蝶ネジ９の締め付けによりクランプ板２は固定され、また蝶ネジ９を緩めることにより、クランプ板２を前後にスライド調節させることができる。クランプ板２の先部２ｃの下面に弾性板６が貼着されている。図４に最も明瞭に示すように、クランプ板２とクランプ基板１とで、左右に開放した、断面四角な空間部７が形成され、この空間部７には、後に述べるように、この輪ゴム取り器を、セット台Ｓに取付けるとき、そのセット台Ｓの、手すり部１７およびテーブル部１８を含む縁を収容できるようなっている。図２〜４にに示すように、基台Ｂのクランプ基板１には蝶ネジ８が螺挿され、この蝶ネジ８の先部は、クランプ基板１の上方に突出しており、この蝶ネジ８は、前記クランプ板２の先部２ｃと協働してセット台Ｓのテーブル部１８をクランプできるようになっている。
【００１３】
前記基台Ｂには、略垂直方向に延びる、断面長方形の角柱状の支柱Ｐが高さを調節可能に取り付けられている。すなわち、基台Ｂのガイド枠３の外面の中間部には、角筒状の支柱ガイド１０が略垂直に固定され、この支柱ガイド１０に垂直方向に延びる棒状の支柱Ｐの下部が高さ調節可能に嵌合されている。支柱ガイド１０の外面には、蝶ネジ１１が螺挿されており、その先端は、支柱Ｐの下部外面に衝き当てられている。したがって、蝶ネジ１１を締め付ければ、支柱Ｐを適宜の高さに固定することができ、また、蝶ネジ１１を緩めれば、支柱Ｐを上下にスライド調節することができる。
【００１４】
前記支柱Ｐの上端には、そこから約９０°屈曲されて、前記基台Ｂのクランプ基板１と略平行に延びる、断面長方形の帯状をなす輪ゴムハンガＨが一体に形成されている。この輪ゴムハンガＨは板材により帯状に形成されており、その基部側、すなわち支柱Ｐ側の輪ゴム貯留部１３と、そこから段差よりなる区分け部１５を介して一段高くした先部側すなわち自由端側の輪ゴム取出部１４とを有しており、図１，２，４に示すように、前記輪ゴム貯留部１３は凹状に形成されてそこに多数の輪ゴムＲを纏めて吊り下げて置くことができ、一方、前記輪ゴム取出部１４は、輪ゴム貯留部１３よりも長く略水平に延びていて、そこに複数の輪ゴムＲを間隔をおいて吊り下げておくことができる。
【００１５】
いま、美容院などで、顧客の髪にワインディングするため、セット台Ｓに本実施例の輪ゴム取り器を取り付けて、これを使用する場合について説明すると、図１に示すように、この輪ゴム取り器の基台Ｂを、セット台Ｓのテーブル部１８の縁にクランプすることができる。すなわち、基台Ｂのクランプ基板１と、クランプ板２間に、セット台Ｓの縁を挿入し、基台Ｂの空間部７に、セット台Ｓの手すり部１７およびテーブル部１８の縁を収めるようにする。その際に基台Ｂが、セット台Ｓの縁と干渉しないようにするため、クランプ板２を上下および前後に移動調節したのち、蝶ネジ５，９の締め付けによりクランプ板２をクランプ基板１に固定し、さらに他の蝶ネジ８の締め付けで基台Ｂを、セット台Ｓにクランプする。
【００１６】
基台Ｂをセット台Ｓの縁にクランプしたら、蝶ネジ１１を緩めて支柱Ｐを、昇降調節したのち、該蝶ネジ１１の締め付けで基台Ｂに固定し、輪ゴムハンガＨの高さを、たとえば美容師の最も操作し易い高さに調節する。
【００１７】
つぎに、図１，２および４に示すように、多数の輪ゴムＲを、輪ゴムハンガＨの輪ゴム貯留部１３に纏めて吊り下げ、さらに複数の輪ゴムＲをその輪ゴム取出部１４に間隔をあけてその一つずつが取り出し易いように吊り下げる。
【００１８】
ここで、顧客の髪をワインディングしたロッドを、その髪と共に固縛すべく（図７参照）、図１に示すように、美容師は、輪ゴム取出部１４に吊り下げられている輪ゴムＲを、その自由端より一つずつ取り出すことができる。このとき、複数の輪ゴムＲは、輪ゴム取出部１４に間隔をあけて取り出し易いように吊り下げておくことができ、複数の輪ゴムがくっついたり、絡んだりすることがなく、しかも輪ゴム取出部１４の自由端はその周囲が広く開放されていることから、輪ゴムＲを一つずつ簡単、容易に取り出すことができる。輪ゴム取出部１４に吊り下げられる輪ゴムＲが少なくなったり、無くなったときは、輪ゴム貯留部１３から補充する。このとき輪ゴムＲは輪ゴム貯留部１３から区分け部１５を介して輪ゴム取出部１４に移動させるので、輪ゴムＲを絡まったり、くっついたりしたまま移動することなく、一つずつ節度をもって移動させることができる。
【００１９】
つぎに、本発明の第２実施例について、図５，６を参照して説明する。
【００２０】
図５は、本発明の第２実施例にかかる輪ゴム取り器の斜視図、図６は、その輪ゴム取り器をセット台に取り付けた場合の縦断側面図であり、この第２実施例において、前記第１実施例と同じものには、同じ符号が付される。
【００２１】
この第２実施例は、基台Ｂの構造が前記第１実施例のものと相違しており、基板の基端と、ガイド枠３の下端間に、バネクリップＣが設けられる。このバネクリップＣは、クリップ基板１の基端に一体に設けられる固定クリップ片２１と、ガイド枠３の下端に一体に設けられる可動クリップ片２２と、それらのクリップ片２１，２２間に設けた捩りバネよりなるクリップバネ２３とより構成されている。そして、このバネクリップＣは、クランプ板２を支柱Ｐと共にクランプ基板１に向けて閉じる方向に弾発付勢し、クランプ基板１とクランプ板２との間にセット台Ｓのテーブル部１８の縁をクランプすることができる。そして、クランプ基板１には、蝶ネジ８（第１実施例）が不要である。また、クランプ板２の先部下面の弾性板６に対応してクランプ基板１の上面には、他の弾性板２４が貼着される。
【００２２】
いま、バネクリップＣに挟持力を加えて図６鎖線に示すように、これをクリップバネ２３のバネ力に抗してアンクリップ状態とすれば、クランプ板２がクランプ基板１に対して開放されるので、それらの間にセット台Ｓの縁を入れて前記挟持力を解除すれば、図６実線に示すように、クランプ基板１とクランプ板２との間に、テーブル部１８の縁をクランプして、本発明にかかる輪ゴム取り器を、セット台Ｓに取付けることができ、前記第１実施例と同じ要領にて、この輪ゴム取り器を使用することができる。
【００２３】
この第２実施例によれば、本発明にかかる輪ゴム取り器をワンタッチでセット台Ｓに取付けることができる。
【００２４】
以上、本発明の実施例について説明したが、本発明はその実施例に限定されることなく、本発明の範囲内で種々の実施例が可能である。
【００２５】
たとえば、前記実施例では、輪ゴムハンガＨの輪ゴム取出部１４は、その輪ゴム貯留部１３よりも長く形成されるが、それらを逆の長さ、あるいは略同じ長さに形成してもよい。また、前記実施例では支柱および輪ゴムハンガは、断面長方形の角柱材により形成されるが、それらを円柱材により形成してもよく、その場合には、輪ゴムが滑りやすく、一層取り出し易い利点が得られる。
【００２６】
【発明の効果】
以上のように、請求項１記載の発明によれば、輪ゴムハンガの輪ゴム貯留部に多数の輪ゴムを纏めて貯留しておくことができると共に、その輪ゴム取出部に複数の輪ゴムを、１つずつ取り出し易いように間隔をあけて吊り下げておくことができるので、その輪ゴムの一つずつの取出操作がきわめて簡単、容易となり、そのために要する時間を大幅に短縮することができ、たとえば、美容院などで、顧客の髪をパーマネント処理するときのように、多数の輪ゴムを１つずつ取り出して使用するのにきわめて有効である。さらに、この輪ゴム取り器のセット台への取付けも容易である。
【００２７】
また、上記目的を達成するために、請求項２記載の発明によれば、前記請求項１記載の発明と同等の効果を奏する上に、輪ゴム取出部を使用者の身長などに合わせて自由に調節することができ、輪ゴムの取出し作業が一層容易になる。
【図面の簡単な説明】
【図１】  本発明の第１実施例にかかる輪ゴム取り器の使用状態を示す斜視図
【図２】  輪ゴム取り器の斜視図
【図３】  図１の３矢視図
【図４】  図３の４−４線に沿う断面図
【図５】  本発明の第２実施例にかかる輪ゴム取り器の斜視図
【図６】  輪ゴム取り器をセット台に取り付けた場合の縦断側面図
【図７】  ロッドによりワインディングした髪を、そのロッドに固縛した状態を示す図
【符号の説明】
Ｂ・・・・・・・・・基台
Ｐ・・・・・・・・・支柱
Ｈ・・・・・・・・・輪ゴムハンガ
Ｓ・・・・・・・・・セット台
Ｒ・・・・・・・・・輪ゴム
１３・・・・・・・・輪ゴム貯留部
１４・・・・・・・・輪ゴム取出部
１５・・・・・・・・区分け部
【図１】
0003646073.tif 000002
【図２】
0003646073.tif 000003
【図３】
0003646073.tif 000004
【図４】
0003646073.tif 000005
【図５】
0003646073.tif 000006
【図６】
0003646073.tif 000007
【図７】
0003646073.tif 000008